(57)【特許請求の範囲】
【請求項１】
印鑑制作システムに、コンピュータの制御部のもとで、印鑑制作依頼者の姓名データ入力する手段と、
入力された前記姓名データを構成する各文字の画数を、前記制御部に接続された画数データベースから求める画数算出手段と、
前記画数データベースから求めた画数に基づき、前記姓名データを構成する文字列のうち、少なくとも、隣り合わせの前記文字で構成される第１の文字列の画数の和、前記姓名データを構成する文字列の最先と最後の文字で構成される第２の文字列の画数の和、および前記文字の総数の画数の和、を算出する手段と、
前記第１の文字列の画数の和、前記第２の文字列の画数の和、および前記文字の総数の画数の和に対し、前記制御部に接続され、姓名判断を実行する運勢判断手段と、
前記姓名判断の結果、運気が劣的と判断された場合、最適の印相を決定する手段と、を備えた、
前記コンピュータの制御により、入力された前記姓名データから最適の印相の印鑑を制作する印鑑制作システムであって、
前記運勢判断手段は、保持する画数と運気との関連性のデータに基づき、前記第１の文字列の画数の和、前記第２の文字列の画数の和、および前記文字の総数の画数の和に対し、前記運気を判断して、画数が薄弱で運気が劣的な文字列を認識し、
前記制御部に接続され、前記最適の印相を決定する手段は、
複数方位の運勢を放射状に示した図示面に前記印鑑の印面を重ね、前記複数方位のうち強調したい所望の運勢に対応する方位において、印影の文字が印影外枠と接する接点を増減する、該接点の増減位置を決定する接点増減位置決定手段と、
該接点増減位置決定手段による接点位置に基づき接点の数を増減させる接点増減手段を用いて、前記画数を増減させる画数増減手段とを具備し、
運気を上昇させて、最適の印相を決定することを特徴とする印鑑制作システム。
【請求項２】
前記画数増減手段は、印影外枠と文字との接点を増減させる接点増減手段を有することを特徴とする請求項１記載の印鑑制作システム。
【請求項３】
前記接点増減手段は、八方位運勢を用いて接点増減位置を決定する接点増減位置決定手段を有することを特徴とする請求項１記載の印鑑制作システム。
【発明の詳細な説明】
【技術分野】
【０００１】
本発明は、刻印された姓名の画数に基づいて運気を上昇させると考えられる印鑑を制作する印鑑制作システムに関する。
【背景技術】
【０００２】
一般に、誰にでも「持って生まれた運」と、「生まれてからの運」があると考えられる。「生まれてからの運」は姓名に表れる運と考える立場から、姓名に宿っている運命を見るのが「姓名判断」である。一般に言われている姓名判断とは、古くから伝わる中国の学問「算命学」であるとされる。すなわち、姓名判断は、姓名の文字の画数を数え、その数で運勢を調べるのが一般的である。しかしながら、姓名学で名前を調べて凶名であった場合でも、改名しないで吉運に転換させるという方法のひとつに印相法がある。
【０００３】
従来より、スタンプを製造する際に、スタンプに製版される姓名に関する姓名判断情報を提供する姓名表示製品の製造システムが提案されている（例えば特許文献１参照）。
特許文献１に記載の姓名表示製品の製造システムでは、スタンプ製造装置に接続されたコンピュータに、製版される姓名が入力されると、その文字および変形文字について姓名判断を行い、その結果をコンピュータおよびスタンプ製造装置に表示する。
また、姓名を表示する元の文字および予め設定した変形文字を組み合わせた姓名についても、画数による姓名判断を行い、その中から選んでスタンプを製造する。
【先行技術文献】
【特許文献】
【０００４】
【特許文献１】特開２００２−１０９０２２号公報
【発明の概要】
【発明が解決しようとする課題】
【０００５】
しかしながら、前述した姓名表示製品の製造システムでは、元の文字と、予め設定した元の文字の変形文字との組み合わせの姓名について姓名判断を行い、その中から選ぶものであるため、必ずしも運気を上昇させると考えられる文字の組み合わせで表した姓名でスタンプを製造できるものではないという問題がある。
【０００６】
そこで、本発明は上記問題点に鑑みなされたものであって、姓名等の印鑑を、運気を上昇させると考えられる文字で制作することができる印鑑制作システムを提供することを目的とする。
【課題を解決するための手段】
【０００７】
上記課題を解決するために、本発明の印鑑制作システムは、該印鑑制作システムに、コンピュータの制御部のもとで、印鑑制作依頼者の姓名データを入力する手段と、入力された前記姓名データを構成する各文字の画数を、前記制御部に接続された画数データベースから求める画数算出手段と、前記画数データベースから求めた画数に基づき、前記姓名データを構成する文字列のうち、少なくとも、隣り合わせの前記文字で構成される第１の文字列の画数の和、前記姓名データを構成する文字列の最先と最後の文字で構成される第２の文字列の画数の和、および前記文字の総数の画数の和、を算出する手段と、前記第１の文字列の画数の和、前記第２の文字列の画数の和、および前記文字の総数の画数の和に対し、前記制御部に接続され、姓名判断を実行する運勢判断手段と、前記姓名判断の結果、運気が劣的と判断された場合、最適の印相を決定する手段と、を備えた、前記コンピュータの制御により、入力された前記姓名データから最適の印相の印鑑を制作する印鑑制作システムであって、前記運勢判断手段は、保持する画数と運気との関連性のデータに基づき、前記第１の文字列の画数の和、前記第２の文字列の画数の和、および前記文字の総数の画数の和に対し、前記運気を判断して、画数が薄弱で運気が劣的な文字列を認識し、前記制御部に接続され、前記最適の印相を決定する手段は、複数方位の運勢を放射状に示した図示面に前記印鑑の印面を重ね、前記複数方位のうち強調したい所望の運勢に対応する方位において、印影の文字が印影外枠と接する接点を増減する、該接点の増減位置を決定する接点増減位置決定手段と、該接点増減位置決定手段による接点位置に基づき接点の数を増減させる接点増減手段を用いて、前記画数を増減させる画数増減手段とを具備し、運気を上昇させて、最適の印相を決定する。
【０００８】
この構成により、入力された姓名について、運勢判断手段が姓名の画数を元にして運勢判断を行い、運勢が劣的運勢であるとみなされる場合には、画数増減手段が画数を増減させて、姓名の画数を運気を上昇させるとされる画数にするので、姓名判断によって運気を上昇させると考えられる印鑑を確実に制作することができる。
【０００９】
また、本発明の印鑑制作システムでは、前記画数増減手段は、印影外枠と文字との接点を増減させる接点増減手段を有する構成を有している。
【００１０】
この構成により、画数増減手段は、印影外枠と文字との接点を増減させる接点増減手段を用いて姓名の画数を増減する。
【００１１】
さらに、本発明の印鑑制作システムでは、前記接点増減手段は、八方位運勢を用いて接点増減位置を決定する接点増減位置決定手段を有する構成を有している。
【００１２】
この構成により、接点増減手段は、接点増減位置決定手段により八方位運勢を用いて、増減させる印影外枠と文字との接点を決定する。
【発明の効果】
【００１３】
本発明によれば、入力された姓名について、運勢判断手段が姓名の画数を元にして運勢判断を行い、運勢が劣的運勢であるとみなされる場合には、画数増減手段が画数を増減させて、姓名の画数を運気を上昇させるとされる画数にするので、姓名判断によって運気を上昇させると考えられる印鑑を確実に制作することができるという効果を有する印鑑制作システムを提供することができるものである。
【図面の簡単な説明】
【００１４】
【図１】印鑑制作システムの構成を示すブロック図である。
【図２】印鑑制作システムにより印鑑を制作する工程を示すフローチャートである。
【図３】姓名判断の一例を示す説明図である。
【図４】姓名判断の結果の一例を示す説明図である。
【図５】印相八方位の方位図である。
【図６】八方位上の運勢の説明図である。
【図７】印相の例であり、（Ａ）は銀行印の場合，（Ｂ）は実印の場合である。
【発明を実施するための形態】
【００１５】
以下、添付図面を参照して、本発明を実施するための実施形態について詳細に説明する。
一般に、生まれてからの運は姓名に表れる運と考える立場から、姓名に宿っている運命を見るのが「姓名判断」であり、姓名判断は、姓名の文字の画数を数え、その数で運勢を調べるのが一般的である。また、姓名判断で名前を調べて凶名であった場合でも、改名しないで吉運に転換させるという方法のひとつに、印鑑における画数を増減して、姓名判断の運勢を改善する考えがある。
【００１６】
図１に示すように、本発明の印鑑制作システム１０では、このような考え方に基づいて、姓名判断によって将来の運を開こうとするものであり、印相を決定するコンピュータ２０及びコンピュータ２０からの指令により決められた印相の印鑑を自動で制作する印鑑製造装置１１を有する。
【００１７】
コンピュータ２０は、中央処理装置である制御部２１を有しており、外部から姓名等のデータを入力するキーボード等の入力部２２、判断結果等を外部に出力する表示画面やプリンタ等の表示部２３、種々の文字の画数をデータとして保持する画数データベース２４を有する。なお、画数データベース２４には、所定の書体における画数が記憶されており、必ずしも現在一般的に使用される書体における画数とは一致しない場合もある。
【００１８】
さらに、コンピュータ２０の内部には、画数増減手段２５、運勢判断手段２６、画数増減手段２７，接点増減手段２８、接点増減位置決定手段２９を有する。画数算出手段２５は、入力部２２から入力された姓名を構成する各文字の画数を画数データベース２４から求めたり、文字の組み合わせに対する合計画数を画数データベース２４から求めた画数に基づいて算出する。運勢判断手段２６は、画数算出手段２５により得られた姓名の画数を元に運勢判断（「姓名判断」とも言う。）を行う。
【００１９】
画数増減手段２７は、運勢判断手段２６による運勢判断の結果、運勢が劣的運勢の場合、画数を増減させる。このとき、画数の増減は、接点増減手段２８により、印影外枠３１と文字との接点３２（図７参照）を増減させて行う。接点増減手段２８は、接点増減位置決定手段２９により、八方位運勢を用いて接点増減位置を決定する。
【００２０】
すなわち、人間は“成功運”“愛情運”、“交友運”、“財産運”、“住居運”、“家族運”、“希望運”“、才能運”と８つの運を持っていると考えられている。これら８つの運は、必ずしも平等にあるものではなく、その中には個人個人によって強い種類の運もあれば弱い種類の運もあると考えられる。従って、これら８つの運を図５に示すように印面（円）の八方に配置し、その人に合った接点（印面の外枠に接する点）の数を合わせたり、弱い運気を接点により強調する事により、“幸運”を導くことができると考える。
【００２１】
次に、図２に基づいて、本発明の印鑑制作システム１０に基づく印相の決定及び印鑑の制作工程について説明する。
印鑑３０の制作をスタートしたら（ステップＳＳ）、入力部２２から印鑑を制作する姓名を入力する（ステップＳ１）。図３に示すように、画数算出手段２５は、画数データベース２４から該当する文字の画数を求めて、各文字に対する画数を読み取る（ステップＳ２）。例えば、「藤」は２１画である。また、各文字の組み合わせに対する画数の合計を算出する（ステップＳ３）。例えば、「藤澤」は２１＋１７で３８画となる。
【００２２】
次に、図４に示すように、得られた画数の内、薄弱（運気が劣的）なところを認識する（ステップＳ４）。ここでは、例えば、姓名の２字目の「澤」と、３字目の「正」の画数の合計である「人格」が薄弱とされる。従って、「人格」の画数を増減させて、運気を高めることが考えられる。なお、薄弱なところがなく運勢が劣的でないと判断された場合には、後述するステップＳ８に進んで、そのまま印相を決定する。
【００２３】
次に、印影を図５に示す印相八方位の方位図に重ねて、接点の数から八方位運勢を判断する（ステップＳ５）。図６に示すように、例えば「ゴン」（家族位）及び坤（愛情位）が弱運とされる場合には、これらの方位の接点の数の増減が考えられる。接点数の増減は、コンピュータにより自動で行うことができる。あるいは、所定の一覧表を用いて，人為的に行うこともできる。そして、その姓名にあった接点の数に合わせたり、その姓名の弱い運気を接点により強調するために、接点増減位置決定手段２９により、八方位における接点増減位置を決定し（ステップＳ６）、接点増減手段２８により接点を増減して（ステップＳ７）、不足している運を強調する印相を決定する（ステップＳ８）。なお、八方すべてを強調することは、効果が薄れるとされるので、どの方位を強調するかに応じて接点の数を増減するのがよい。
【００２４】
このようにして決定した印相に基づいて、印鑑製造装置１１により、印鑑を制作して（ステップＳ９）、終了する（ステップＳＥ）。
【００２５】
以上、説明した本発明にかかる実施形態の印鑑制作システム１０によれば、運勢判断手段２６が姓名の画数を元にして運勢判断を行い、運勢が劣的運勢の場合には、画数増減手段２７が画数を増減させて、姓名の画数を運気を上昇させるとされる画数にするので、姓名判断によって運気を上昇させると考えられる印鑑を確実に制作することができる。
【００２６】
また、画数増減手段２７による姓名の画数の増減は、印影外枠３１と姓名を構成する文字との接点３２を増減させる接点増減手段２８を用いて行う。接点数の増減は、印相を決定する版下作成の段階で行い、コンピュータにより自動で行うこともできる。あるいは、所定の一覧表を用いて，人為的に行うこともできる。このとき、接点増減手段２８は、接点増減位置決定手段２９により、八方位運勢を用いて増減させる印影外枠３１と文字との接点３２の位置を決定するので、画数による姓名判断及び八方位による運勢判断を改善すると考えられる所望の画数の増減を行うことができる。
【００２７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００２８】
また、前述した実施形態の印鑑制作システム１０においては、主に姓及び名前を含む場合を例示したが、図７に示した印鑑のように、姓のみ（あるいは名前のみ）の場合を含む。
【符号の説明】
【００２９】
１０  印鑑制作システム
２６  運勢判断手段
２７  画数増減手段
２８  接点増減手段
２９  接点増減位置決定手段
３０  印鑑
３１  印影外枠
３２  接点
【図１】
0005629133.tif 000002
【図２】
0005629133.tif 000003
【図３】
0005629133.tif 000004
【図４】
0005629133.tif 000005
【図５】
0005629133.tif 000006
【図６】
0005629133.tif 000007
【図７】
0005629133.tif 000008